(57)【特許請求の範囲】
【請求項１】
ハウジング(７)に支持した回転体(５８)をハンドル(６３)によって所定の旋回位置に段階的に回転させてバルブの開度を変更すると共に、そのバルブの開度を表示可能に構成した装置であって、
上記ハンドル(６３)を筒状に形成して上記ハウジング(７)の嵌合部(７３)に外嵌し、
上記ハンドル(６３)の周壁には所定の間隔をあけて覗き穴(７４）が設けられていると共に、上記ハンドル(６３)の筒孔に透明性の表示具（７２）が取り付けられ、この表示具（７２）には所定の色彩の複数の開度表示（７６）が設けられていて、この開度表示（７６）が上記覗き穴(７４)に臨み、
上記ハウジング(７)の上記の嵌合部(７３)の外周面に、上記の複数の開度表示(７６)のいずれかが上記ハンドル(６３)の覗き穴(７４)から視認されるのを許容する第１色彩領域(Ｆ)と、残りの開度表示(７６)が視認されるのを阻止する第２色彩領域(Ｓ)とを設けた、ことを特徴とするバルブの開度表示装置。
【請求項２】
請求項１に記載したバルブの開度表示装置において、
前記開度表示(７６)の色彩と前記嵌合部(７３)の前記第２色彩領域(Ｓ)の色彩とを同じに構成した、ことを特徴とするバルブの開度表示装置。
【発明の詳細な説明】
【０００１】
【発明の属する技術分野】
この発明は、バルブの開度を表示する装置に関する。
【０００２】
【従来の技術】
この種の開度表示装置は、従来では、バルブの円形状ハンドルの周面に周方向へ多数の開度目盛を設けたものがある。
【０００３】
【発明が解決しようとする課題】
上記の従来技術は、バルブの開度を調節するときに、多数の開度目盛のほぼ半分が視認されてしまうので、目的の開度目盛を探すのが困難であり、そのうえ、開度の調節にも手間がかかるという問題がある。本発明の目的は、バルブの開度を明瞭に表示すると共に容易に調節できるようにすることにある。
【０００４】
【課題を解決するための手段】
上記目的を達成するため、請求項１の発明は、例えば、図１と図３および図８(ａ)から図８(ｄ)に示すように、バルブの開度表示装置を次のように構成した。即ち、ハウジング７に支持した回転体５８をハンドル６３によって所定の旋回位置に段階的に回転させてバルブの開度を変更すると共に、そのバルブの開度を表示可能に構成した装置であって、上記ハンドル６３を筒状に形成して上記ハウジング７の嵌合部７３に外嵌し、上記ハンドル６３の周壁には所定の間隔をあけて覗き穴(７４)が設けられていると共に、上記ハンドル(６３)の筒孔に透明性の表示具（７２）が取り付けられ、この表示具（７２）には所定の色彩の複数の開度表示（７６）が設けられていて、この開度表示（７６）が上記覗き穴(７４)に臨み、上記ハウジング７の上記の嵌合部７３の外周面に、上記の複数の開度表示７６のいずれかが上記ハンドル６３の覗き穴(７４)から視認されるのを許容する第１色彩領域Ｆと、残りの開度表示７６が視認されるのを阻止する第２色彩領域Ｓとを設けたものである。
【０００５】
上記の請求項１の構成においては、前記のハンドル６３と前記の透明性の表示部分７５とを別の部材によって構成する場合が考えられる。なお、前記の第１色彩領域Ｆと第２色彩領域Ｓとは、少なくとも一組設ければよく、二組以上設けることも可能である。
【０００６】
上記の請求項１の発明は、例えば、図８(ｃ)及び図８(ｄ)に示すように、次のように作用する。なお、上記の図８(ｃ)は、前記ハンドル６３と嵌合部７３との組立て途中の状態を示し、図８(ｄ)は組立て完了状態を示している。また、ここでは、前記の表示部分７５に黒色の開度数字(開度表示)７６を記入し、前記の第１色彩領域Ｆを白色に設定し、前記の第２色彩領域Ｓを黒色に設定してある。図８(ｄ)に示すように、ハンドル６３を回転操作すると、前記の第１色彩領域Ｆに対応する開度数字７６(ここでは「2.0」)だけがハンドル６３の外側から視認されるのに対して、その外の開度数字は前記の第２色彩領域Ｓによって隠れてしまい視認できない。
【０００７】
従って、上記の請求項１の発明は、上記ハンドルを所望の回転角度に操作するにつれて、その回転角度に対応する開度表示だけを視認でき、これにより、バルブの開度を明瞭に表示すると共に容易に調節できる。
【０００８】
さらに、上記の覗き穴を通して目的の開度表示だけを視認できるので、バルブの開度をさらに明瞭に表示できる。
【０００９】
さらに、開度表示装置は構造が簡素になり安価に造れる。
【００１０】
さらに、請求項２の発明に示すように、前記開度表示７６の色彩と前記嵌合部７３の前記第２色彩領域Ｓの色彩とを同じに構成した場合には、目的とする開度表示を除いた開度表示を確実に隠すことができるので、バルブの開度を一層明瞭に表示できる。
【００１１】
【発明の実施の形態】
以下、本発明の一実施形態を図１から図８によって説明する。この実施形態では、酸素吸入用の携帯式ガスボンベに使用されるバルブ装置を例示してある。まず、図１の立面図と図２のフローチャートによってバルブ装置の概要を説明する。
【００１２】
上記バルブ装置１は、容器弁２と流量調整器３とを備える。上記の容器弁２のハウジング４から下向きに突設した脚ネジ５がガスボンベＡに気密状にネジ止めされる。上記ハウジング４の出口ノズル６には、後述する図３(ａ)及び図３(ｂ)に示すように、上記の流量調整器３のハウジング７に設けた入口ノズル８とガス充填金具９とが選択的に接続可能になっている。上記の容器弁２は、ガス導出路１１の途中に設けた閉止弁１２と、上記ガス導出路１１から分岐された安全弁１３と、上記ガスボンベＡ内のガス残量を表示する残量表示器１４とを備える。また、前記の流量調整器３は、ガス取出し路１６の途中部分に入口側から出口側へ順に配置した減圧弁１７及び可変絞り弁１８を備える。
【００１３】
上記バルブ装置１の具体的な構造について、上記の図１及び図２を参照しながら、図３(ａ)及び図３(ｂ)と図４から図６によって説明する。図３(ａ)は、前記の容器弁２に流量調整器３を接続した状態を示し、上記の図１中のIII−III線矢視断面図である。図３(ｂ)は、上記の容器弁２に前記ガス充填金具９を接続した状態を示し、上記の図３(ａ)に相当する図である。図４は、上記の容器弁２の立面視の断面図であって、上記の図３(ａ)中のIV−IV線矢視の断面図である。図５は、前記の図１中のＶ−Ｖ線矢視の断面図である。図６は、同上の図１中のVI−VI線矢視の断面図である。
【００１４】
上記の容器弁２の前記ガス導出路１１は、その一端が前記の脚ネジ５の下面に開口されている。上記ガス導出路１１の途中に設けた前記の閉止弁１２は、閉止弁室２１の周壁に進退可能に螺合した閉止部材２２を備える。筒状ハンドル２３によってスピンドル２４を回転することにより、上記の閉止部材２２が閉止弁座２５に対して開閉移動される。また、前記の安全弁１３は、破裂板２７とバックアップ用の可溶栓２８とを備える。
【００１５】
前記の残量表示器１４は、前記の脚ネジ５の下部に気密状にネジ止めした上筒３１と、その上筒３１の下部にネジ止めした下筒３２とを備える。上記の上筒３１に検出ロッド３３を気密状に挿入して、その検出ロッド３３の下部と上記の下筒３２の下部との間に引っ張りバネ３４を装着してある。上記の検出ロッド３３は、そのロッド断面に作用する上向きのガス圧力と上記の引っ張りバネ３４の下向き力との力の釣り合いにより、ガスボンベＡ内の圧力に応じて高さ位置が変化する。そして、上記の検出ロッド３３の上部に設けた残量表示具３５の高さ位置の変化を覗き窓３６から視認することにより、ガスボンベＡのガスの残量を検知できるようになっている。なお、合成樹脂製の透明筒３７の周壁には残量表示目盛り(図示せず)を設けてある。
【００１６】
主として図３(ａ)に示すように、上記の容器弁２の前記の出口ノズル６には出口穴３９が形成されると共に、その出口穴３９の周壁に接続用の雄ネジ４０が設けられる。また、前記の流量調整器３の前記のハウジング７は、前記の入口ノズル８を備えた第１ハウジング７ａと、ガス取出し金具４２を備えた第２ハウジング７ｂとからなる。上記の第１ハウジング７ａの雄ネジ棒４３にナット４４をネジ止めすることにより、上記の第２ハウジング７ｂが上記の第１ハウジング７ａに固定される。
【００１７】
上記の入口ノズル８は、前記の出口穴３９に挿入可能に構成されており、その入口ノズル８に、円筒状に形成した袋ナット式操作具４５が回転自在に外嵌される。その操作具４５の筒孔には、上記の雄ネジ４０に螺合する雌ネジ４６が設けられる。そして、上記の雄ネジ４０と雌ネジ４６との螺合推力によって、上記の入口ノズル８の先端部を上記の出口穴３９の底面３９ａに保密状に押圧可能に構成してある。
【００１８】
上記の第１ハウジング７ａ内で前記ガス取出し路１６の途中部に前記の減圧弁１７が設けられる。その減圧弁１７は、ピストン５１に作用する開弁バネ５２の開弁力(ここでは図３(ａ)中で左向きの力)と二次側作動室５３から同上ピストン５１に作用する閉弁力(ここでは図３(ａ)中で右向きの力)との力の釣り合いによって減圧部材５４を減圧弁座５５に調節移動させるようになっている。
【００１９】
前記の可変絞り弁１８は、上記の第１ハウジング７ａと第２ハウジング７ｂとの間に回転自在に装着した環状板(回転体)５８を備える。その環状板５８には、図６に示すように、開口面積が異なる絞り路５９を周方向へ所定の間隔をあけて配置してある。前記ガス取出し路１６には、上記の環状板５８の両面に封止接当する一対のＯリング６０・６１が装着されている。そして、上記の環状板５８を所定の旋回位置に回転させることによって上記の複数の絞り路５９のいずれかを上記ガス取出し路１６へ連通可能に構成してある。
【００２０】
より詳しくいえば、上記の環状板５８の外周側で前記の第１ハウジング７ａ及び第２ハウジング７ｂに調節ハンドル６３が軸心回りに回転自在に外嵌される。その調節ハンドル６３の左端部には押バネ６５によって付勢されたロック用ボール６６を支持し、第２ハウジング７ｂには前記の複数の絞り路５９に対応させて複数のロック穴６７を周方向へ設けてある。さらには、上記の調節ハンドル６３の内周の係止壁６８を上記の環状板５８の係止溝６９(図７参照)に係合させてある。そして、上記の調節ハンドル６３を回転させていくと、上記ボール６６とロック穴６７との係合により、上記の環状板５８が所定の旋回位置に段階的に回転される。これにより、前記の複数の絞り路５９が段階的に前記のガス取出し路１６へ連通されて、上記の可変絞り弁１８の開度を調節できる。
【００２１】
上記の可変絞り弁１８の開度を表示する装置は、同上の図３(ａ)と、図８(ａ)から図８(ｄ)に示すように、次のように構成されている。図８(ａ)は、その開度表示装置７１の表示具７２の展開図である。図８(ｂ)は、上記の表示装置７１の組立て前の状態を示す図である。図８(ｃ)は、同上の表示装置７１の組立て途中の状態を示す図である。図８(ｄ)は、同上の表示装置７１の組立て完了状態を示す図である。
【００２２】
前記の筒状の調節ハンドル６３は、前記の第１ハウジング７ａの外周面の嵌合部７３に所定の隙間をあけて外嵌している。また、上記ハンドル６３の周壁には周方向へ所定の間隔をあけて覗き穴７４を設けてある。前記の表示具７２は、図８(ａ)及び図８(ｂ)に示すように、透明な長尺薄板の両端を接合して円筒体に構成してあり、その筒状の表示具７２を上記ハンドル６３の筒孔に接着剤などによって固定している。これにより、上記の透明性の表示具７２には、上記の覗き穴７４に対応して、周方向へ複数の表示部分７５が形成される。
【００２３】
上記の各表示部分７５には所定の色彩(ここでは黒色)で開度数字(開度表示)７６を描いてある。さらに、上記の第１ハウジング７ａの上記の嵌合部７３の外周面には、主として図８(ｃ)と図８(ｄ)に示すように、上記の複数の開度数字７６のいずれか一つが上記ハンドル６３の外側から視認されるのを許容する第１色彩領域Ｆと、残りの開度数字７６が視認されるのを阻止する第２色彩領域Ｓとを設けてある。より具体的にいえば、ここでは、上記の第１色彩領域Ｆの色彩は、上記の嵌合部７３の材料であるアルミニウムの地色(灰白色)であり、第２色彩領域Ｓの色彩は、その嵌合部７３に黒色の塗装を施してある。
【００２４】
上記の開度表示装置７１は次のように作用する。上記の調節ハンドル６３を回転操作すると、図８(ｄ)に示すように、上記の第１色彩領域Ｆに対応する開度数字７６(ここでは「2.0」)だけが覗き穴７４から視認され、これに対して、その外の開度数字は前記の第２色彩領域Ｓの色彩(ここでは黒色)によって隠れてしまうので、これらの開度数字を視認できない。そして、上記の図８(ｄ)を左側面から見た状態で、上記のハンドル６３を時計回りの閉じ方向へ回転した場合には上記の「2.0」の隣りの開度数字「1.5」だけを視認でき、同上ハンドル６３を反時計回りの開き方向へ回転した場合には同上の「2.0」の隣りの開度数字「2.5」だけを視認できる。以下、上記ハンドル６３の開閉回転角度に応じて、対応する開度数字７６を覗き穴７４から視認できる。
【００２５】
上記構成のバルブ装置１は次のように使用される。ガスボンベＡ内のガスを取り出すときには、まず、図３(ａ)に示すように、そのガスボンベＡの前記の容器弁２に流量調整器３を取り付ける。次いで、その流量調整器３の調節ハンドル６３を所定の開度数字７６の位置に回転操作すると共に上記の容器弁２のハンドル２３を全開にする。すると、ガスボンベＡ内のガスは、上記の容器弁２の閉止弁１２を通って上記の流量調整器３の減圧弁１７へ流出し、その減圧弁１７で予め設定した圧力へ減圧され、引き続いて、前記の可変絞り弁１８の絞り路５９を通る間に流量調節され、その後、前記ガス取出し金具４２から外部へ取り出される。
【００２６】
ガスの取り出しがすすんでガスボンベＡ内のガスが空になった場合には、前記の容器弁２の前記の出口ノズル６から上記の流量調整器３を取り外して、その取り外した流量調整器３を別のガスボンベの容器弁に取り付ければよい。上記の空になったガスボンベＡに新たなガスを充填するときには、図３(ｂ)に示すように、前記の容器弁２の出口ノズル６に前記ガス充填金具９を接続すればよい。そのガス充填金具９は、ガスケット８１を備えた金具本体８２と、その金具本体８２を上記の出口ノズル６へ押圧する袋ナット８３とを備えている。
【００２７】
上記の実施形態は次のように変更可能である。前記の容器弁２と前記の流量調整器３との接続構造は、その容器弁２の出口ノズル６に雄ネジ４０を設けると共に流量調整器３の操作具４５に雌ネジ４６を設けることに代えて、上記の容器弁２の出口ノズル６の出口穴３９に雌ネジを設けると共に流量調整器３の操作具４５に雄ネジを設けるようにしてもよい。上記の流量調整器３の入口ノズル８と上記の出口ノズル６との気密接続は、その出口ノズル６の出口穴３９の底面３９ａで接続することに代えて、上記の出口ノズル６の先端面で接続することも可能である。上記の操作具４５は、上記の流量調整器３の入口ノズル８に設けることに代えて、上記の容器弁２の前記の出口ノズル６に設けてもよく、これら流量調整器３と容器弁２との両者にわたって設けてもよい。
【００２８】
前記の減圧弁１７は例示した構造に限定されるものでないことは勿論である。また、前記の可変絞り弁１８も、例示した構造に限定されるものでないことは勿論であり、例えばニードル弁などによって代替可能である。前記の流量調整器３は、上記の減圧弁１７と上記の可変絞り弁１８との組み合わせに代えて、別の種類の弁を組み合わせてもよい。
【００２９】
上記の流量調整器３の開度表示装置７１は、前記の調節ハンドル６３の筒孔に透明性で筒状の表示具７２を装着することに代えて、各覗き穴７４ごとに透明性で平板状の表示具を装着してもよい。さらに、上記の開度表示装置７１は、上記の調節ハンドル６３の周方向に設けた複数の覗き穴７４と開度数字７６を設けた透明性の表示具７２との組み合わせに代えて、そのハンドル６３を透明性の合成樹脂で構成して、その透明ハンドル６３の周壁に上記の開度数字７６を彫刻したり描いたりしたものでもよい。
【００３０】
上記の開度数字７６の色彩と前記の嵌合部７３の第２色彩領域Ｓの色彩との二つの色彩は、例示した黒色とは別の色彩であってもよく、さらには、上記の二つの色彩を互いに異なるようにしても差し支えない。上記の嵌合部７３の第１色彩領域Ｆの色彩は、上記の開度数字７６が目立つものであればよく、その嵌合部７３の地色に代えて、別の色彩を塗装したり、別の色彩の合成樹脂を上記の嵌合部７３に嵌着したりしたものであってもよい。開度表示は、上記の開度数字７６に代えて、絵記号などの別の種類の表示であってもよい。
【００３１】
本発明に係るバルブ装置１は、酸素吸入用などの携帯式ガスボンベに装着するのに好適であるが、それに限定されるものではなく、工業用などの別の種類のガスボンベに装着するものであってもよいことは勿論である。
【図面の簡単な説明】
【図１】  本発明の一実施形態を示し、ガスボンベ用バルブ装置の立面図である。
【図２】  上記バルブ装置のフローチャートである。
【図３】  図３(ａ)は、上記バルブ装置の容器弁に流量調整器を接続した状態を示し、上記の図１中のIII−III線矢視断面図である。図３(ｂ)は、上記の容器弁にガス充填金具を接続した状態を示し、上記の図３(ａ)に相当する図である。
【図４】  上記の容器弁の立面視の断面図であって、上記の図３(ａ)中のIV−IV線矢視の断面図である。
【図５】  前記の図１中のＶ−Ｖ線矢視の断面図である。
【図６】  同上の図１中のVI−VI線矢視の断面図である。
【図７】  前記の流量調整器の可変絞り弁に設けた環状板の正面図である。
【図８】  上記の可変絞り弁の開度を表示する装置を示している。図８(ａ)は、その開度表示装置の表示具の展開図である。図８(ｂ)は、上記の表示装置の組立て前の状態を示す図である。図８(ｃ)は、同上の表示装置の組立て途中の状態を示す図である。図８(ｄ)は、同上の表示装置の組立て完了状態を示す図である。
【符号の説明】
７…ハウジング、７ａ…第１ハウジング、５８…回転体(環状板)、６３…ハンドル(調節ハンドル)、７２…表示具、７３…嵌合部、７４…覗き穴、７５…表示部分、７６…開度表示(開度数字)、Ｆ…第１色彩領域、Ｓ…第２色彩領域。
【図１】
0004399041.tif 000002
【図２】
0004399041.tif 000003
【図３】
0004399041.tif 000004
【図４】
0004399041.tif 000005
【図５】
0004399041.tif 000006
【図６】
0004399041.tif 000007
【図７】
0004399041.tif 000008
【図８】
0004399041.tif 000009